(57)【要約】      （修正有）【課題】反射型液晶と、液晶レンズを用いた投射用オートフォーカス機能を有し、携帯電話等に組み込み可能な反射型液晶プロジェクターを提供する。【解決手段】緑色、青色および赤色ＬＥＤ１０，１１，１２から出る光線はイルミネーションレンズ群９で集束され、ＰＢＳプリズム６で反射されて反射型液晶パネル７に投射され、再び反射されて半透過ミラー部、投射モジュール内の投射レンズ群５および液晶レンズ４を通過してスクリーン３４に画像が投射されるように構成し、自動焦点調整装置３によって可変焦点液晶レンズとスクリーンとの距離が測定された結果に基づき液晶レンズが電気的に制御されて焦点の合った画像がスクリーンに投射されるように構成し、投射レンズ群の先端部に液晶レンズが配置されていることを特徴とし、且つ、本モジュールユニットが、携帯電話機等の小型電子機器の筐体内に一体的に配置されることを特徴とする反射型液晶プロジェクター。【選択図】図１
2011048314.tif 000002
【特許請求の範囲】
【請求項１】
緑色ＬＥＤ、青色ＬＥＤおよび赤色ＬＥＤからなる多色光源から出る光線はイルミネーションモジュール内のイルミネーションレンズ群で集束され、ＰＢＳプリズムの半透過ミラー部で反射されて反射型液晶パネルに投射され、再び反射されて半透過ミラー部、投射モジュール内の投射レンズ群および液晶レンズを通過してスクリーンに画像が投射されるように構成したことを特徴とする反射型液晶プロジェクター。
【請求項２】
自動焦点調整装置によって可変焦点液晶レンズとスクリーンとの距離が測定された結果に基づき可変焦点液晶レンズが制御されて焦点の合った画像がスクリーンに投射されるように構成したことを特徴とする請求項１記載の反射型液晶プロジェクター。
【請求項３】
投射レンズ群の先端部に可変焦点液晶レンズを配置したことを特徴とする請求項１記載の反射型液晶プロジェクター。
【請求項４】
イルミネーションモジュール、投射モジュールおよび自動焦点調整装置等のモジュールユニットが、携帯電話機等の小型電子機器の筐体内に一体的に配置されることを特徴とする請求項１記載の反射型液晶プロジェクター。
【発明の詳細な説明】
【技術分野】
【０００１】  本発明は反射型液晶プロジェクターに関し、特に反射型液晶と液晶レンズを用いた簡単な構造で多色画像をスクリーンに投射でき、投射用オートフォーカス機能を有するものであり、携帯電話等の電子機器に組み込むことのできる反射型液晶プロジェクターに関するものである。
【背景技術】
【０００２】  従来、携帯電話機等の小型の電子機器にプロジェクターを搭載した機器であって、例えば下記の先行技術文献等が提案されている。
【先行技術文献】
【特許文献】
【０００３】
【特許文献１】  特開２００６−１１５４８６
【特許文献２】  特開２００６−１４５８１２
【０００４】  前記せる特開２００６−１１５４８６号公報の名称は電子機器であるが、その内容は主にプロジェクター付き携帯電話機の載置位置を変えても投射画像が遮られないように、投射光束の向きが定められることが開示されている。【０００５】  また、前記せる特開２００６−１４５８１２号公報では、携帯電話機のプロジェクター装置が開示されており、投射レンズの焦点位置および撮影レンズの焦点位置の両方を変化させるためのレンズ駆動モーターを備えたものである。
【発明の概要】
【発明が解決しようとする課題】
【０００６】  前記せる公報はいずれも投射する画像の位置を調整しているものであるが、自動焦点調整装置の制御部を介して可変焦点液晶レンズを電気的に調整するものではなかった。
本発明は、自動焦点調整装置によってスクリーンとの距離が測定された結果に基づき可変焦点液晶レンズを電気的に制御して焦点の合った画像をスクリーンに投射する反射型液晶プロジェクターを提供することを課題としている。
【課題を解決するための手段】
【０００７】  緑色ＬＥＤ、青色ＬＥＤおよび赤色ＬＥＤからなる多色光源から出る光線はイルミネーションモジュール内のイルミネーションレンズ群で集束され、ＰＢＳプリズムの半透過ミラー部で反射されて反射型液晶パネルに投射され、再び反射されて半透過ミラー部、投射モジュール内の投射レンズ群および液晶レンズを通過してスクリーンに画像が投射されるように構成したことを特徴とし、自動焦点調整装置によって可変焦点液晶レンズとスクリーンとの距離が測定された結果に基づき液晶レンズが電気的に制御されて焦点の合った画像がスクリーンに投射されるように構成したことを特徴とし、投射レンズ群の先端部に液晶レンズが配置されていることを特徴とし、且つ、イルミネーションモジュール、投射モジュールおよび自動焦点調整装置等のモジュールユニットが、携帯電話機等の小型電子機器の筐体内に一体的に配置されることを特徴とする反射型液晶プロジェクターを提供する。
【発明の効果】
【０００８】  従来の携帯電話機のカメラモジュールや小型のデジタルカメラ等では撮像用のオートフォーカスはあっても、本発明では投射用のオートフォーカスに可変焦点液晶レンズを電気的に調整する機能を組み込んだものになるので、容易に拡大画像をスクリーンや手近の壁等に投射することができるので見易いばかりでなく、数人で見ても見易い画像を投射できるものである。
【図面の簡単な説明】
【０００９】
【図１】本発明に係る反射型液晶プロジェクターの構造概念図である。
【図２】本発明に係る反射型液晶プロジェクターの全体斜視図である。
【発明を実施するための形態】
【実施例】
【００１０】  以下、本発明の反射型液晶プロジェクターの実施例について図面に基づいて説明する。図面において、図１は本発明に係る反射型液晶プロジェクターの構造概念図である。図２は本発明に係る反射型液晶プロジェクターの全体斜視図である。【００１１】  緑色ＬＥＤ１０、青色ＬＥＤ１１および赤色ＬＥＤ１２からなる三原色光源から出る光線は順次点滅されながらイルミネーションモジュール２内のイルミネーションレンズ群９で集束され、ＰＢＳプリズム６の半透過ミラー部６１で反射されて反射型液晶パネル７に投射される。【００１２】  反射型液晶パネル７は強誘電液晶を使用した反射型液晶ＦＬＣＯＳ（Ｆｅｒｒｏｅｌｅｃｔｒｉｃ  Ｌｉｑｕｉｄ  Ｃｒｙｓｔａｌ  ｏｎ  Ｓｉｌｉｃｏｎ）であって、反射層を有するものである。【００１３】  したがって、この反射層で反射されて半透過ミラー部６１、投射モジュール１内の投射レンズ群５および可変焦点液晶レンズ４を通過してスクリーン３４に画像が投射されるように構成されており、３色の画像光は合成されて、投射レンズ群、可変焦点液晶レンズを経てスクリーン３４に投射される。【００１４】  また、自動焦点調整装置３によって可変焦点液晶レンズ４とスクリーン３４との距離が測定され、その結果に基づき可変焦点液晶レンズが制御部３３を介して制御され、焦点の合った画像がスクリーン３４上に投射されるように構成されている。【００１５】  自動焦点調整装置には種々の方式を採用することができるが、本件実施例では赤外線による方式を一実施例として説明する。【００１６】  自動焦点調整装置３の透光部３１から投光された赤外線はスクリーン３４で反射され、受光部３２で受けられ、その角度θから可変焦点液晶レンズ４とスクリーン３４との距離が測定され、その結果に基づき可変焦点液晶レンズが制御部３３を介して電気的に制御され、焦点の合った画像がスクリーン３４上に投射されるように構成されている。【００１７】  可変焦点液晶レンズ４は投射レンズ群５の先端部に配置されており、イルミネーションモジュール２、投射モジュール１および自動焦点調整装置３等のモジュールユニットが、携帯電話機等の小型電子機器の筐体内に一体的に配置されることが可能である。【００１８】  なお、可変焦点液晶レンズ４への電圧を変更する制御部３３により屈折率を変更することができ、ズーム、オートフォーカス、又はズーム及びオートフォーカスの特徴を組み合わせることもできる。
【産業上の利用可能性】
【００１９】  本発明は以上説明したように、自動焦点調整装置によって可変焦点液晶レンズとスクリーンとの距離が測定された結果に基づき液晶レンズが電気的に制御されて焦点の合った画像がスクリーンに投射されるように構成されているので、容易に拡大画像をスクリーンや手近の壁等に投射することができるので見易いばかりでなく、数人で見ても見易い画像を投射できるものであるので、実用的価値が大きく産業上の利用可能性も高い。
【符号の説明】
【００２０】    １．投射モジュール
２．イルミネーションモジュール
３．自動焦点調整装置
３１．投光部
３２．受光部
３３．制御部
３４．スクリーン
４．可変焦点液晶レンズ
５．投射レンズ群
６．ＰＢＳプリズム
６１．半透過ミラー部
７．反射型液晶パネル
８．液晶制御部
９．イルミネーションレンズ群
１０．緑色ＬＥＤ
１１．青色ＬＥＤ
１２．赤色ＬＥＤ
【図１】
2011048314.tif 000003
【図２】
2011048314.tif 000004